(57)【要約】【課題】本発明は制御システムに関し、容易に空間に滞在する人の人数を検出し、検出した情報を利用できる制御システムを得ることを目的とする。【解決手段】本発明に係る制御システムは、空間を撮像することで、該空間に滞在する人の人数を検出人数として検出する画像センサと、該検出人数に応じて算出された料金データを表示する表示装置と、を備える。【選択図】図１
2020177764.tif 000002
【特許請求の範囲】
【請求項１】
空間を撮像することで、前記空間に滞在する人の人数を検出人数として検出する画像センサと、
前記検出人数に応じて算出された料金データを表示する表示装置と、
を備えることを特徴とする制御システム。
【請求項２】
前記検出人数に応じて前記料金データを算出し、前記料金データを前記表示装置に送信するコントローラを備えることを特徴とする請求項１に記載の制御システム。
【請求項３】
前記料金データを前記表示装置に送信するコントローラを備え、
前記画像センサは前記検出人数に応じて前記料金データを算出し、前記料金データを前記コントローラに送信することを特徴とする請求項１に記載の制御システム。
【請求項４】
前記画像センサは、前記空間に居る人をカウントし、前記空間に居る人のカウント数が予め定められた時間以上維持された場合に、前記カウント数を前記検出人数として検出することを特徴とする請求項１から３の何れか１項に記載の制御システム。
【請求項５】
前記料金データは、前記検出人数と前記空間に滞在する人の滞在時間とから算出されることを特徴とする請求項１から４の何れか１項に記載の制御システム。
【請求項６】
前記表示装置は、前記空間の利用者が料金を支払う自動精算装置であることを特徴とする請求項１から５の何れか１項に記載の制御システム。
【請求項７】
前記画像センサを複数備え、
前記複数の画像センサは、複数の空間に滞在する人の人数をそれぞれ検出し、
前記表示装置は、前記利用者により前記複数の空間のうち滞在した空間を識別する情報が入力されると、前記空間の前記料金データを表示することを特徴とする請求項６に記載の制御システム。
【請求項８】
前記表示装置は、前記空間の予め設定された利用人数と前記検出人数とが異なる場合に、使用者に通知することを特徴とする請求項１から７の何れか１項に記載の制御システム。
【請求項９】
前記画像センサが検出した情報に応じて、前記空間の備品の交換または供給を使用者に促す管理装置を備えることを特徴とする請求項１から８の何れか１項に記載の制御システム。
【請求項１０】
前記画像センサを複数備え、
前記複数の画像センサは、複数の空間をそれぞれ撮像し、前記複数の空間に滞在する人の人数をそれぞれ検出し、
前記管理装置は、前記複数の空間のうち一定期間内の使用頻度が高い空間、使用時間が長い空間または利用者数の大きい空間ほど、前記空間の備品の交換または供給を高い頻度で前記使用者に促すことを特徴とする請求項９に記載の制御システム。
【請求項１１】
前記画像センサは、前記空間を複数の検出ブロックに分割して、前記複数の検出ブロックの各々について人の存在、不在を検出することで、前記空間に滞在する人の人数を検出することを特徴とする請求項１から１０の何れか１項に記載の制御システム。
【請求項１２】
前記空間に設けられた照明器具を備え、
前記コントローラは、前記画像センサの検出した情報に基づき、前記照明器具の点灯状態を制御することを特徴とする請求項２または３に記載の制御システム。
【請求項１３】
空間を撮像することで、前記空間に滞在する人の人数を検出人数として検出する画像センサと、
予め設定された利用人数と前記検出人数とが異なる場合に、使用者に通知する通知部と、
を備えることを特徴とする制御システム。
【請求項１４】
空間を撮像することで、前記空間に滞在する人の人数を検出する画像センサと、
前記画像センサが検出した情報に応じて、前記空間の備品の交換または供給を使用者に促す管理装置と、
を備えることを特徴とする制御システム。
【請求項１５】
前記画像センサを複数備え、
前記複数の画像センサは、複数の空間をそれぞれ撮像し、前記複数の空間に滞在する人の人数をそれぞれ検出し、
前記管理装置は、前記複数の空間のうち一定期間内の使用頻度が高い空間、使用時間が長い空間または利用者数の大きい空間ほど、前記空間の備品の交換または供給を高い頻度で前記使用者に促すことを特徴とする請求項１４に記載の制御システム。
【発明の詳細な説明】
【技術分野】
【０００１】
本発明は、制御システムに関する。
【背景技術】
【０００２】
特許文献１には、人数計測システムが開示されている。この人数計測システムは、空間へ出入りする人を検知する人感センサと、空間内のＣＯ２濃度を検出するＣＯ２センサと、人感センサからの検知信号およびＣＯ２センサで検出したＣＯ２濃度に基づいて空間内の人数を算出する算出手段とを備える。算出手段は、人感センサからの検知信号に基づいて空間内の人数として第一の算出値を算出し、ＣＯ２センサによって検出したＣＯ２濃度に基づいて空間内の人数として第二の算出値を算出する。算出手段は、第一の算出値および第二の算出値のどちらか一方を選択して空間内の人数を決定する。
【先行技術文献】
【特許文献】
【０００３】
【特許文献１】特許第５９６６９５８号公報
【発明の概要】
【発明が解決しようとする課題】
【０００４】
一般に人感センサは赤外線で熱源が移動したことを検出する。このため、人感センサは人の出入りを検出する一方で、検出エリアに滞在する人数を正確に計測することができない。このため、特許文献１では、第二の算出値で第一の算出値を補正している。しかし、特許文献１のシステムでは、換気装置または給気ダクトなどのＣＯ２センサを含む設備を天井に設置する必要がある。従って、施設の建築後にシステムを設置することが難しい可能性がある。以上から、空間内の人数の検出および検出した情報の利用が困難となるおそれがある。
【０００５】
本発明は、上述の課題を解決するためになされたもので、容易に空間に滞在する人の人数を検出し、検出した情報を利用できる制御システムを得ることを目的とする。
【課題を解決するための手段】
【０００６】
本発明に係る制御システムは、空間を撮像することで、該空間に滞在する人の人数を検出人数として検出する画像センサと、該検出人数に応じて算出された料金データを表示する表示装置と、を備える。
【０００７】
本発明に係る制御システムは、空間を撮像することで、該空間に滞在する人の人数を検出人数として検出する画像センサと、予め設定された利用人数と該検出人数とが異なる場合に、使用者に通知する通知部と、を備える。
【０００８】
本発明に係る制御システムは、空間を撮像することで、該空間に滞在する人の人数を検出する画像センサと、該画像センサが検出した情報に応じて、該空間の備品の交換または供給を使用者に促す管理装置と、を備える。
【発明の効果】
【０００９】
本発明に係る制御システムでは、画像センサにより容易に空間に滞在する人の人数を検出し、検出した情報を利用できる。
【図面の簡単な説明】
【００１０】
【図１】実施の形態１に係る制御システムの構成を示す図である。
【図２】画像センサの検出範囲を説明する図である。
【図３】実施の形態２に係る制御システムの構成を示す図である。
【図４】実施の形態３に係る表示装置のモニタ画面を説明する図である。
【発明を実施するための形態】
【００１１】
本発明の実施の形態に係る制御システムについて図面を参照して説明する。同じ又は対応する構成要素には同じ符号を付し、説明の繰り返しを省略する場合がある。
【００１２】
実施の形態１．
図１は、実施の形態１に係る制御システム１００の構成を示す図である。制御システム１００はコントローラ１を備える。コントローラ１は、照明制御盤内または天井に設置される。コントローラ１は、制御システム１００内の端末機器からの情報収集および照明器具２の点灯状態の制御を行う。また、コントローラ１は、上位システムへ情報を伝送し、上位システムからの制御指令を実行する。
【００１３】
端末機器には複数の種類がある。図１では一例として、コントローラ１に照明器具２、照度センサ３、壁スイッチ４および画像センサ５が接続されている。図１では、照明器具２、照度センサ３、壁スイッチ４および画像センサ５はそれぞれ１台のみ表示されているが、各端末機器はコントローラ１に複数台接続されて使用されても良い。
【００１４】
照明器具２は、コントローラ１と通信線で接続される。照明器具２はコントローラ１から制御指令を受信することで照明状態を変化させる。制御指令には、例えばＯＮ、ＯＦＦ、調光率、色温度の指令が含まれる。照明器具２は、光源と、スイッチング素子のオンオフにより光源を点灯させる電源装置を備える。光源は、例えばＬＥＤから構成される。照明器具２は、受信した通信データを変換して電源装置に伝送する制御ユニットを内部に搭載しても良い。また、照明器具２において、電源装置に含まれる制御部が直接通信データの送受信をしてもよい。制御部は、制御ユニットを介して、または直接受信した通信データに基づき、スイッチング素子を駆動させる。
【００１５】
照度センサ３は例えば天井に設置される。照度センサ３は、対象エリアの反射光を受光部で検出する。対象エリアは例えば床面である。照度センサ３は、検出した光の量を電気信号に変換し、相対的な照度値を測定する。照度センサ３は、測定した照度値データをコントローラ１へ送信する。
【００１６】
コントローラ１は、照度値データと予め設定された目標照度とを照合する。コントローラ１は、照度値データと目標照度とが合致するように、照明器具２に調光指令を送信する。照度センサ機能は画像センサ５に搭載されても良い。
【００１７】
壁スイッチ４は壁面に設置される。壁スイッチ４は、一般ユーザーの手が届く位置に設置される。壁スイッチ４は複数のスイッチを有する。複数のスイッチの各々には、照明器具２のアドレス、グループ番号または調光率のパターン制御が設定されている。ユーザーが壁スイッチ４のスイッチを押下することで、スイッチに設定されたアドレスまたはグループ番号の照明器具２のＯＮ、ＯＦＦが制御される。また、スイッチを押下することで、スイッチに設定されたパターン制御が実行される。
【００１８】
画像センサ５は天井に設置される。画像センサ５はカメラ５ａを有する。一般に人感センサとして用いられる焦電センサは、熱源体の移動のみを検出する。これに対し、本実施の形態の画像センサ５は、カメラ５ａによって画像データを取得し、対象のエリア内に人が存在するかを判定する。画像センサ５は、独自の検出アルゴリズムによって、人の存在、不在を判別する。画像センサ５は、ベースとなる背景画像と、撮影した画像データとを比較する。画像センサ５は、比較結果に基づき人の対象エリアへの進入、対象エリアからの移動、滞在および通過を検出する。
【００１９】
画像センサ５は、検出した情報のうち必要な情報のみをコントローラ１に伝送する。画像センサ５から情報を受信したコントローラ１は、人体検出情報のあった検出ブロック６１と関連付けられた照明器具２を調光制御する。検出ブロック６１については後述する。
【００２０】
設定器６は、コントローラ１とゲートウェイ装置７を接続する通信ラインに接続される。設定器６を用いて、コントローラ１の照明制御の設定およびコントローラ１の上位設備への通信設定が実施される。ユーザーは、設定器６から各端末機器のアドレスおよびグループ番号の設定を行う。また、ユーザーは設定器６からコントローラ１が保持する自動制御用パラメータの設定を行う。自動制御用パラメータは、目標照度、上限調光率、下限調光率、壁スイッチ４の割付設定等である。
【００２１】
設定器６は端末機器およびコントローラ１と通信する。通信は、例えばコントローラ１とゲートウェイ装置７との通信ラインに接続することで行われる。また、通信はゲートウェイ装置７が接続されるＢＡＣｎｅｔ（Ｂｕｉｌｄｉｎｇ  Ａｕｔｏｍａｔｉｏｎ  ａｎｄ  Ｃｏｎｔｒｏｌ  Ｎｅｔｗｏｒｋｉｎｇ  Ｐｒｏｔｏｃｏｌ）に接続することで行われても良い。ＢＡＣｎｅｔは、ビルディングネットワークのための通信プロトコル規格である。ＢＡＣｎｅｔは、ゲートウェイ装置７と管理装置８との間の通信に用いられる。また、設定器６は、赤外線通信等の無線通信または有線通信によって端末機器との間でデータを送受信しても良い。設定器６の通信プロトコルは問わない。
【００２２】
ゲートウェイ装置７は、コントローラ１との通信とＢＡＣｎｅｔ通信との間でのゲートウェイ機能を有する。ゲートウェイ装置７は、コントローラ１との通信とＢＡＣｎｅｔ通信との間で、通信データを変換する。
【００２３】
管理装置８は、Ｅｔｈｅｒｎｅｔ（登録商標）を使用したＢＡＣｎｅｔ通信によって、ゲートウェイ装置７と通信する。管理装置８は、ゲートウェイ装置７を介して、端末機器またはコントローラ１からの情報を取得する。管理装置８はこれらの情報を表示装置９に送信する。
【００２４】
表示装置９はモニタ画面を有する。表示装置９は、管理装置８から受信した情報をモニタ画面に表示する。また、表示装置９はタッチパネルを有し、タッチパネルの操作によって表示内容の変更またはページの切り替えができても良い。
【００２５】
なお、上述のデータ通信の手段としては、有線通信または無線通信のどちらを採用してもよい。
【００２６】
図２は、画像センサ５の検出範囲６０を説明する図である。図２は、画像センサ５に搭載されたカメラ５ａで天井から床面方向を撮像したイメージの一例である。図２では、検出範囲６０に椅子１０と机１１がレイアウトされている。椅子１０には複数の人１２が着座している。
【００２７】
画像センサ５は、例えば検出範囲６０の中央に配置される。本実施の形態の画像センサ５の検出範囲６０は、床面のうち７．２ｍ四方の正方形の領域である。検出範囲６０の面積および形状はこれに限らない。検出範囲６０は、画像センサ５に使用するカメラ５ａの種類、性能および検出の精度によって異なる。
【００２８】
画像センサ５は、検出範囲６０である空間を複数の検出ブロック６１に分割して、複数の検出ブロック６１の各々について人の存在、不在を検出する。画像センサ５は、各々の検出ブロック６１について画像を取得し、取得した画像と予め記憶したベース画像とを比較して、人の存在、不在を検出する。
【００２９】
１つの検出ブロック６１は、０．９ｍ四方の正方形である。検出ブロック６１は、検出範囲６０の１辺に８列並ぶ。検出範囲６０は６４個の検出ブロック６１を有する。検出ブロック６１の面積、形状および複数の検出ブロック６１の配列は、これに限らない。また、１つの検出範囲６０に含まれる検出ブロック６１は複数であれば良い。
【００３０】
画像センサ５に搭載されたカメラ５ａの撮像範囲は広角である。画像センサ５の撮像範囲の外周部において、検出をマスクしても良い。つまり、任意に検出範囲を絞ってカメラ５ａを使用しても良い。また、さらに高性能の画像センサ５を使用してもよい。例えば７．２ｍ四方の検出範囲６０を、１辺を１６列とする２５６ブロックに分けて検出しても良い。
【００３１】
画像センサ５は、物体の侵入、移動、滞在、通過を検出するアルゴリズムを搭載している。画像センサ５は、人の侵入、移動または通過を検出した場合には、直ちに空間に滞在したと判定しない。画像センサ５は、移動してきた物体が予め定められた時間だけ停止した場合に、人の滞在を検出する。画像センサ５は、空間に滞在している複数の人を同時に検出できる。このように画像センサ５は、空間を撮像することで、空間に滞在する人の人数を検出人数として検出する。また、画像センサ５は、空間への人の滞在時間を検出しても良い。
【００３２】
また、画像センサ５は、空間に居る人をカウントし、空間に居る人のカウント数が予め定められた規定時間以上維持された場合に、カウント数を検出人数として検出する。つまり、画像センサ５は規定時間だけカウント数が変動しなかった場合にカウント数を検出人数として確定する。また、画像センサ５は規定時間以内でカウント数が変動した場合、カウント数の変化前の人数が継続しているものと判定する。規定時間は、設定器６から画像センサ５に設定される。
【００３３】
これにより、利用者が一時的に空間からいなくなる場合または利用者以外の人が一時的に空間に存在する場合にも、正確な利用者の数を検出できる。
【００３４】
画像センサ５は、検出人数をコントローラ１に伝送する。画像センサ５は、例えば定期的に検出人数を送信する。コントローラ１は定期的に画像センサ５にモニタ信号を送信し、画像センサ５はモニタ信号に応じて検出人数をコントローラ１に送信しても良い。また、画像センサ５は、自ら測定した時間間隔に応じて、自発的に検出人数をコントローラ１に伝送しても良い。これにより、コントローラ１は検出人数をリアルタイムで把握できる。
【００３５】
コントローラ１は、検出人数に応じて料金データを算出する。料金データは、例えば検出人数と、空間に滞在する人の滞在時間とから算出される。コントローラ１は、予め設定された料金設定に基づき、料金データを算出する。ここで、料金設定は、例えば利用者１人に課金される単位時間当たりの料金である。料金設定はコントローラ１の記憶部に記憶されている。料金設定は、例えば設定器６からコントローラ１に任意に設定できる。
【００３６】
コントローラ１は算出した料金データを、ゲートウェイ装置７を経由して管理装置８に送信する。管理装置８は料金データを受信すると、料金データを表示装置９に伝送する。管理装置８は、画像センサ５からコントローラ１およびゲートウェイ装置７を介して、各検出ブロック６１の人の存在、不在の情報を受信しても良い。
【００３７】
以上から、料金データは、コントローラ１から管理装置８を介して表示装置９に送信される。これにより、表示装置９のモニタ画面には、検出人数に応じて算出された料金データが表示される。表示装置９には、料金データとともに部屋番号などの情報が表示されても良い。従って、管理者は、空間の料金データを認識できる。
【００３８】
貸し会議室またはカラオケボックスなどの施設では、利用人数と利用時間によって支払い料金が決定されることがある。本実施の形態では、画像センサ５により、実際に空間に滞在している人数および時間を正確に把握できる。従って、正確に料金を算出できる。コントローラ１が、自己に記憶された料金データから自動で料金を算出することで、使用者の作業負荷を軽減させることができる。ここで、使用者は例えば制御システム１００の管理者である。
【００３９】
本実施の形態では画像センサ５で人を検出する。このため、人を検出するために大型の設備を取り付ける必要がない。また、例えば既存の照明制御システムに画像センサ５を追加することで、制御システム１００を構築できる。従って、制御システム１００の導入コストを低減できる。また、建物の建築後に容易に制御システム１００を設置できる。以上から、本実施の形態では容易に空間に滞在する人の人数を検出し、検出した情報を利用できる。
【００４０】
一般に人感センサを用いると空間への滞在人数を正確に検出できない。また、例えば人感センサとＣＯ２センサを組み合わせて滞在人数を補正する場合、人が通過または侵入する度に、２種のセンサの検出情報を用いた演算が発生することが考えられる。このため、演算量が膨大となるおそれがある。これに対し、本実施の形態では、画像センサ５のみにより空間に滞在する人の人数を正確に検出できる。従って、空間に滞在する人の人数を容易に検出できる。
【００４１】
本実施の形態の変形例として、画像センサ５が検出人数に応じて料金データを算出し、料金データをコントローラ１に送信しても良い。この場合、コントローラ１は受信した料金データを、ゲートウェイ装置７、管理装置８を介して表示装置９に送信する。また、料金設定は、画像センサ５自体に設定され、画像センサ５は料金設定を記憶する。
【００４２】
これに限らず、画像センサ５が検出した検出人数がコントローラ１、ゲートウェイ装置７を介して管理装置８に送信され、管理装置８が料金データを算出しても良い。
【００４３】
また、コントローラ１は、画像センサ５の検出した情報に基づき、照明器具２の点灯状態を制御する。画像センサ５は検出範囲６０である空間で人の存在を検出すると、検出情報をコントローラ１に送信する。コントローラ１は、検出情報に基づき、空間に設けられた照明器具２を点灯させても良い。また、画像センサ５は空間で人の不在を検出すると、検出情報をコントローラ１に送信し、コントローラ１は検出情報に基づき、空間に設けられた照明器具２を消灯させても良い。
【００４４】
また、空間には複数の照明器具２が設けられても良い。この場合、画像センサ５は複数の検出ブロック６１の各々についての人の存在、不在の検出情報をコントローラ１に送信する。コントローラ１は、複数の照明器具２のうち、検出情報に含まれる検出ブロック６１と関連付けられた照明器具２の点灯状態を制御する。
【００４５】
コントローラ１は、複数の照明器具２のうち人の存在が検出された検出ブロック６１を照らす照明器具２の調光率を、人の不在が検出された検出ブロック６１を照らす照明器具２の調光率よりも高くしても良い。これにより、制御システム１００が設けられた店舗等の空間で、消費電力を低減できる。また、空間の照明による演出効果を向上できる。
【００４６】
なお、コントローラ１は、画像センサ５からの検出人数に基づく料金データの伝達と、画像センサ５からの検出情報に応じた照明器具２の制御とを並行して実施できるものとする。また、このような調光制御は管理装置８が行っても良い。
【００４７】
また、本実施の形態では、画像センサ５は検出ブロック６１毎に人の存在、不在を検出した。これに限らず、画像センサ５は空間に滞在する人の人数を検出できれば良い。また、１つの空間または部屋に複数の画像センサ５が設けられても良い。この場合、複数の画像センサ５により、１つの空間に滞在する人の人数が検出される。
【００４８】
これらの変形は、以下の実施の形態に係る制御システムについて適宜応用することができる。なお、以下の実施の形態に係る制御システムについては実施の形態１との共通点が多いので、実施の形態１との相違点を中心に説明する。
【００４９】
実施の形態２．
図３は、実施の形態２に係る制御システム２００の構成を示す図である。本実施の形態の制御システム２００には、表示装置９に代えて、空間の利用者が料金を支払う自動精算装置１３が設けられる。料金データは、管理装置８から自動精算装置１３に送信される。
【００５０】
制御システム２００は、画像センサ５を複数備える。複数の画像センサ５は、複数の空間にそれぞれ設けられる。複数の画像センサ５は、複数の空間をそれぞれ撮像し、複数の空間に滞在する人の人数をそれぞれ検出する。
【００５１】
管理装置８から自動精算装置１３に伝送するデータには、複数の空間の識別情報と、複数の空間の各々の料金データとが含まれる。複数の空間の識別情報は例えば部屋番号である。
【００５２】
自動精算装置１３は、入力部としてテンキーまたはタッチパネルを有する。利用者は、自動精算装置１３の入力部を操作して、利用した部屋番号を入力する。また、自動精算装置１３は受信部を有しても良い。利用者は磁気カードまたはＩＣチップ等が搭載されたキーを自動精算装置１３が搭載する受信部に接触または近づける。これにより、自動精算装置１３に部屋番号が認識されても良い。このように、自動精算装置１３には、空間の利用者により、複数の空間のうち利用者が滞在した空間を識別する情報が入力される。
【００５３】
自動精算装置１３は、入力された識別情報に応じて、利用者が滞在した部屋である空間の料金データを表示する。これにより利用者は、支払い額を把握し、現金またはクレジットカード等で自動精算装置１３に対して支払いを行う。
【００５４】
本実施の形態では、利用者が管理者を介さずに無人の自動精算装置１３に対して料金の支払いを行うことができる。これにより、管理者の負荷を軽減することができ、人件費を減らすことができる。
【００５５】
実施の形態３．
図４は、実施の形態３に係る表示装置９のモニタ画面９ａを説明する図である。図４は制御システム１００の表示装置９のモニタ画面９ａの一例を示したものである。制御システム１００において、管理装置８と表示装置９は別個に設けられる。これに限らず、管理装置８がモニタ画面を搭載している場合には、管理装置８に同様の表示がなされても良い。
【００５６】
モニタ画面９ａには、複数の空間の識別情報として部屋番号が表示される。また、モニタ画面９ａには、各部屋番号に対する使用状況が表示される。使用状況には、使用中と空室がある。使用状況は、各部屋への入室時に管理者または利用者が入力しても良い。また、画像センサ５が部屋への人の滞在を検出したことに応じて、表示装置９はその部屋の使用状況を使用中として表示しても良い。
【００５７】
また、モニタ画面９ａには申請人数と検出人数が表示される。申請人数は、入室時に利用者が申請した人数である。検出人数は、画像センサ５が検出した空間に滞在している人の人数である。
【００５８】
さらに、モニタ画面９ａには警報が表示される。表示装置９は、空間の予め設定された利用人数である申請人数と、検出人数とが異なる場合に、警報により使用者に通知する。図４において、部屋番号１０３では、申請人数よりも検出人数が多い。この場合、警報欄に過多の表示が現れる。警報の表示に合わせて、表示装置９はアラート音などで警報を発信しても良い。
【００５９】
警報を受けることで、管理者は申請人数の訂正を促すことができる。従って、利用者に正当な支払いをさせることができる。これにより、例えば利用者が人数を過少申告した場合に、正当な利用料金よりも支払いが少額となることを防止できる。また、管理者が人数把握のため、使用中の部屋の利用人数を目視でカウントする手間が省ける。
【００６０】
また、モニタ画面９ａには、料金設定と課金間隔が表示される。本実施の形態では、利用者１人につき、１時間当たり５００円の利用料金が設定される。また、利用料金は課金間隔である３０分毎に課金される。つまり、利用時間が３０分未満の部屋は料金が発生しない。また、３０分毎に２５０円×人数の利用料金が課金される。
【００６１】
モニタ画面９ａには、利用者の滞在時間が経過時間として表示される。また、モニタ画面９ａには、滞在時間、検出人数および上記の料金設定に基づきコントローラ１で算出された料金データが、料金として表示される。これにより、管理者は使用状態の各部屋の使用時間および料金を把握できる。
【００６２】
料金、経過時間等を各部屋に設置された端末画面に伝送して表示させても良い。これにより、利用者が現在の課金状況を確認できる。
【００６３】
本実施の形態では、照明制御システムの一部の機能を利用して、利用人数および料金を細かく管理できる。また、本実施の形態の制御システム１００により、施設の無人化およびネットワークによる集中管理が可能になる。従って、管理者を減らし、人件費を大幅に削減できる。
【００６４】
本実施の形態の第１の変形例として、制御システム１００は料金の算出機能を有さなくても良い。第１の変形例において制御システム１００は、画像センサ５と通知部とを備える。通知部は、予め設定された利用人数と画像センサ５が検出した検出人数とが異なる場合に使用者に通知する。通知部は例えば表示装置９である。第１の変形例において、表示装置９は、例えば申請人数と検出人数の差異がある場合に警報表示のみを行っても良い。
【００６５】
本実施の形態の第２の変形例として、管理装置８は、画像センサ５が検出する利用人数および利用時間に基づいて、会議室または備品の使用履歴情報を蓄積しても良い。
【００６６】
第２の変形例において管理装置８は、画像センサ５が検出した情報に応じて、空間の備品の交換または供給を使用者に促す。制御システム１００は、例えば、画像センサ５を複数備える。複数の画像センサ５は、複数の空間をそれぞれ撮像し、複数の空間に滞在する人の人数をそれぞれ検出する。管理装置８は、複数の空間のうち一定期間内の使用頻度が高い空間、使用時間が長い空間または利用者数の大きい空間ほど、空間の備品の交換または供給を高い頻度で使用者に促す。
【００６７】
例えば空間が会議室である場合、管理装置８は、使用頻度の高い会議室において、使用頻度の低い会議室よりも、備品の交換を早いタイミングで管理者へ促す。備品は例えばホワイトボードのマーカ類、プロジェクタのランプ類などである。あるいは椅子、机などの耐久性備品について、管理装置８は使用頻度の高い会議室で使用されている耐久性備品と、使用頻度の低い会議室で使用されている耐久性備品との交換を促しても良い。つまり、耐久性備品をローテーションさせて使用頻度の均整化を図っても良い。
【００６８】
また、管理装置８は、空間の使用時間または利用者数が閾値を超えると、空間の備品の交換または供給を使用者に促しても良い。また、管理装置８に限らず、制御システム１００を消耗品または備品を管理する外部の管理システムと連携させても良い。この場合、管理システムが備品の交換または供給を使用者に促す。
【００６９】
各実施の形態で説明した技術的特徴は適宜に組み合わせて用いてもよい。
【符号の説明】
【００７０】
１  コントローラ、２  照明器具、３  照度センサ、４  壁スイッチ、５  画像センサ、５ａ  カメラ、６  設定器、７  ゲートウェイ装置、８  管理装置、９  表示装置、９ａ  モニタ画面、１０  椅子、１１  机、１２  人、１３  自動精算装置、６０  検出範囲、６１  検出ブロック、１００、２００  制御システム
【図１】
2020177764.tif 000003
【図２】
2020177764.tif 000004
【図３】
2020177764.tif 000005
【図４】
2020177764.tif 000006